(57)【要約】【課題】従来よりも取付作業性および遮光性が向上するハンガーおよび日射遮蔽装置を提供する。【解決手段】ハンガー１は、ヘッドボックス３に固定される固定部１０と、ヘッドボックス３およびブラケット４に対して光の照射面側で遮光板２を保持する保持部２０と、固定部１０と保持部２０との間に設けられた本体部３０とを有する。【選択図】図２
2017031624.tif 000002
【特許請求の範囲】
【請求項１】
ヘッドボックス又はブラケットに固定される固定部と、
前記ヘッドボックスおよび前記ブラケットに対して光の照射面側で遮光板を保持する保持部と、
前記固定部と前記保持部との間に設けられた本体部と、
を有することを特徴とするハンガー。
【請求項２】
前記保持部は、
上方または下方に開口し、前記遮光板が挿入される溝部と、
前記溝部内に設けられ、前記遮光板のうち前記開口側の端部を係止する第１係止部と、
前記溝部内に設けられ、前記遮光板のうち前記開口と反対側の端部を係止する第２係止部と、
を有することを特徴とする請求項１に記載のハンガー。
【請求項３】
前記保持部は、
上下方向において前記第１係止部よりも前記開口から遠い位置で前記溝部内に設けられ、前記第１係止部が前記遮光板を係止可能な位置となるように前記遮光板を側方から押圧する第１押圧部を有することを特徴とする請求項２に記載のハンガー。
【請求項４】
前記保持部は、前記溝部の上下方向の途中部に設けられ、前記遮光板を側方から押圧する第２押圧部を有することを特徴とする請求項２又は請求項３に記載のハンガー。
【請求項５】
前記溝部は、下方へ向かうほど前記ヘッドボックスから吊り下げられた日射遮蔽材に近付くように傾斜していることを特徴とする請求項２乃至請求項４のいずれか一項に記載のハンガー。
【請求項６】
前記溝部の下端側は、前記ブラケットの下端よりも下側で、下方へ向かうほど前記ヘッドボックスから吊り下げられた日射遮蔽材に近付くように傾斜していることを特徴とする請求項２乃至請求項５のいずれか一項に記載のハンガー。
【請求項７】
前記保持部の前記ヘッドボックス側の側面と前記本体部の下面との間にリブが設けられることを特徴とする請求項１乃至請求項６のいずれか一項に記載のハンガー。
【請求項８】
請求項１乃至請求項７のいずれか一項に記載のハンガーを備えたことを特徴とする日射遮蔽装置。
【発明の詳細な説明】
【技術分野】
【０００１】
本発明は、ハンガーおよび日射遮蔽装置に関する。
【背景技術】
【０００２】
従来の日射遮蔽装置として、ブラケットを介して天井に固定されるヘッドボックスと、ヘッドボックスから吊り下げられたラダーコードに支持される複数のスラットとを備えたブラインドが知られている。
【０００３】
この種のブラインドでは、全閉時に、ヘッドボックスと最上段のスラットとの間に隙間が不可避的に生じるため、隙間から室内への光漏れ対策が必要となる。
【０００４】
光漏れ対策として、特許文献１には、ヘッドボックスの室内面に化粧フレームを取り付け、化粧フレームにより室内側から隙間を覆う発明が開示されている。ヘッドボックスの室内面には、長さ方向の全長に亘って溝が形成されており、化粧フレームには、溝に嵌合する係止脚部が形成されている。
【０００５】
しかし、特許文献１の発明では、ヘッドボックスの長さ方向の全長に亘って溝を形成するため、加工性および経済性が悪い。また、特許文献１の発明では、ヘッドボックスの室内面に化粧フレームを取り付けるため、隙間を通った光が化粧フレームに到達するまでに拡散し、拡散した光を化粧フレームで十分に遮光できず、光が室内に漏れるおそれがある。
【０００６】
この問題を解決するものとしては、図６に示す従来例がある。図６は、従来のブラインドを示す側断面図である。
【０００７】
図６に示すブラインド２００では、ヘッドボックス２３０の室外側にハンガー２１０を介して遮光板２２０を取り付け、遮光板２２０により室外側から隙間２５０を覆っている。ハンガー２１０は、ヘッドボックス２３０の室外側壁に沿って延在する本体部２１１と、本体部２１１の上端に設けられた上向きフック状の固定部２１２と、本体部２１１の下端に設けられた下向きフック状の保持部２１３とを有する。固定部２１２は、ヘッドボックス２３０の室外側壁の上端に引っ掛けられ、保持部２１３には、遮光板２２０の上端が引っ掛けられている。遮光板２２０は、ヘッドボックス２３０の長さ方向において、ブラケット２４０と重なる位置にある。なお、符号２６０は、全閉時に傾斜した状態となるスラットを示す。
【０００８】
かかるブラインド２００によれば、ハンガー２１０を介してヘッドボックス２３０に遮光板２２０を取り付けるため、ヘッドボックス２３０の長さ方向の全長に亘って溝を形成する必要がなく、ヘッドボックス２３０の加工が容易となり、製造コストを抑えられる。また、遮光板２２０がヘッドボックス２３０の室外側に取り付けられるため、隙間２５０に入る前の光を遮光することが可能となり、室内への光漏れを抑制できる。
【先行技術文献】
【特許文献】
【０００９】
【特許文献１】実開平０６−２２４９４号公報
【発明の概要】
【発明が解決しようとする課題】
【００１０】
従来のブラインド２００では、遮光板２２０とブラケット２４０がヘッドボックス２３０の長さ方向において重なる位置にあるため、ブラケット２４０と干渉する部分では、遮光板２２０に切り欠きを現場で設ける必要があり、取付作業が煩雑となる。また、切り欠きから室内に光が漏れるおそれがある。
【００１１】
本発明は、このような観点から創案されたものであり、従来よりも取付作業性および遮光性が向上するハンガーおよび日射遮蔽装置を提供することを課題とする。
【課題を解決するための手段】
【００１２】
このような課題を解決するために、本発明に係るハンガーおよびハンガーを備えた日射遮蔽装置は、ヘッドボックス又はブラケットに固定される固定部と、前記ヘッドボックスおよび前記ブラケットに対して光の照射面側で遮光板を保持する保持部と、前記固定部と前記保持部との間に設けられた本体部と、を有することを特徴とする。なお、本発明の「光」とは、太陽光や月の光等の「自然光」と、照明器具等が発する「人工光」の両方を含む概念である。
【００１３】
本発明によれば、遮光板は、ブラケットに対して光の照射面側で保持されるため、干渉防止用の切り欠きを遮光板に設ける必要がなく、遮光板の取り付け作業が容易となる。また、切り欠きがないため、切り欠きから室内への光漏れが発生せず、従来よりも遮光性が向上する。さらに、遮光板は、ヘッドボックスに対して光の照射面側で保持されるため、隙間に入る前の光を遮光することが可能となり、室内への光漏れが抑制されて遮光性が向上する。
【００１４】
また、前記保持部は、上方または下方に開口し、前記遮光板が挿入される溝部と、前記溝部内に設けられ、前記遮光板のうち前記開口側の端部を係止する第１係止部と、前記溝部内に設けられ、前記遮光板のうち前記開口と反対側の端部を係止する第２係止部と、を有することが好ましい。
かかる構成によれば、第１係止部が遮光板のうち開口側の端部を係止するため、溝部内からの遮光板の抜脱を防ぐことができる。また、第２係止部が遮光板のうち開口と反対側の端部を係止するため、溝部内に遮光板を安定して保持することができる。
【００１５】
また、前記保持部は、上下方向において前記第１係止部よりも前記開口から遠い位置で前記溝部内に設けられ、前記第１係止部が前記遮光板を係止可能な位置となるように前記遮光板を側方から押圧する第１押圧部を有することが好ましい。
かかる構成によれば、第１係止部が遮光板を係止可能な位置となるように第１押圧部が遮光板を側方から押圧するため、遮光板のうち開口側の端部を第１係止部に確実に係止することが可能となり、ひいては、溝部からの遮光板の抜脱をより一層防ぐことができる。
【００１６】
また、前記保持部は、前記溝部の上下方向の途中部に設けられ、前記遮光板を側方から押圧する第２押圧部を有することが好ましい。
かかる構成によれば、第２押圧部が遮光板を側方から押圧するため、遮光板の横ズレを抑制することができる。
【００１７】
また、前記溝部は、下方へ向かうほど前記ヘッドボックスから吊り下げられた日射遮蔽材に近付くように傾斜していることが好ましい。
かかる構成によれば、遮光板と日射遮蔽材とを近付けることができるため、隙間へ入る光をさらに抑制することが可能となり、遮光性がより一層向上する。
【００１８】
また、前記溝部の下端側は、前記ブラケットの下端よりも下側で、下方へ向かうほど前記ヘッドボックスから吊り下げられた日射遮蔽材に近付くように傾斜していることが好ましい。
かかる構成によれば、遮光板と日射遮蔽材とを近付けることができるため、隙間へ入る光をさらに抑制することが可能となり、遮光性がより一層向上する。また、遮光板と日射遮蔽材とを近付けたとしても、溝部の下端側がブラケットの下端よりも下側で傾斜しているため、遮光板とブラケットの干渉を回避することができる。
【００１９】
また、前記保持部の前記ヘッドボックス側の側面と前記本体部の下面との間にリブが設けられることが好ましい。
かかる構成によれば、保持部と本体部との間を補強することができる。
【発明の効果】
【００２０】
本発明に係るハンガーおよび日射遮蔽装置によれば、従来よりも取付作業性および遮光性が向上する。
【図面の簡単な説明】
【００２１】
【図１】本実施形態に係る横型ブラインドを室外側から見下ろした概略斜視図である。
【図２】図１のＩＩ−ＩＩ線に沿った側断面図である。
【図３】（ａ）は本実施形態のハンガーを示す斜視図であり、（ｂ）は（ａ）の逆側から見た斜視図である。
【図４】変形例に係るハンガーを示す斜視図である。
【図５】他の変形例に係るハンガーを示す側断面図である。
【図６】従来のブラインドを示す側断面図である。
【発明を実施するための形態】
【００２２】
本発明の実施形態について、適宜図面を参照しながら詳細に説明する。本実施形態では、窓の室内側に設置される横型ブラインドに本発明を適用した場合を例として説明する。図１は、本実施形態に係る横型ブラインドを室外側から見下ろした概略斜視図である。図２は、図１のＩＩ−ＩＩ線に沿った側断面図である。図３（ａ）は本実施形態のハンガーを示す斜視図であり、図３（ｂ）は（ａ）の逆側から見た斜視図である。
【００２３】
図１に示すように、日射遮蔽装置たる横型ブラインドＢは、天井に固定されるヘッドボックス３と、複数のスラット５，５と、ブラケット４と、ハンガー１と、遮光板２とを備えている。日射遮蔽材たる複数のスラット５，５は、ヘッドボックス３から吊り下げられた図示せぬラダーコードにより、上下方向に等間隔に支持される。本実施形態では、ブラケット４とハンガー１を１つずつ描画しているが、これらの個数はヘッドボックス３の長さに応じて適宜増加してよい。
【００２４】
＜ヘッドボックス＞
ヘッドボックス３は、図示せぬラダーコードや昇降コード等を支持するためのものである。本実施形態のヘッドボックス３は、アルミニウム押出形材から成り、長さ方向に同一の断面形状で延設されている。図２に示すヘッドボックス３は、底壁３ａと室外側壁３ｂと室内側壁３ｃとを有していて、側断面視で上方が開口するコ字状を呈する。
【００２５】
底壁３ａは、水平状の壁部である。横型ブラインドＢの全閉時に、底壁３ａと最上段のスラット５との間には、隙間Ｇが不可避的に形成される。隙間Ｇは、ヘッドボックス３の長さ方向に亘って延在している。なお、横型ブラインドＢの全閉時には、スラット５は傾斜した状態となる。図２に示すスラット５は、室内側へ向かうほど高くなるように傾斜している。本実施形態では、室内側の端縁が、傾斜したスラット５のうち最も高い部位となる。以下の説明では、傾斜した最上段のスラット５のうち最も高い部位を「最上部５ａ」という。
【００２６】
室外側壁３ｂと室内側壁３ｃは、鉛直状の壁部であり、底壁３ａの幅方向両端部に立設されている。室外側壁３ｂと室内側壁３ｃの上端には、幅方向内側に湾曲して折り返された被係止部３ｄが設けられている。被係止部３ｄは、上向きフック状（鉤状）に形成されている。
【００２７】
＜ブラケット＞
ブラケット４は、ヘッドボックス３を天井に対して保持するためのものである。ブラケット４は、例えば金属材料から成る。ブラケット４の形状は、特段限定されるものではないが、本実施形態ではヘッドボックス３の周囲を取り囲む四角環状を呈する。図示は省略するが、ブラケット４の上端は、ネジ等の固定手段で天井に固定されている。ブラケット４の下端４ａは、ヘッドボックス３の底壁３ａよりも下側であって、かつ、最上段のスラット５よりも上側に位置している。なお、ブラケット４として、Ｌ型ブラケットを用いてもよい。この場合には、ヘッドボックス３の上側と室外側に位置するようにＬ型ブラケットを設置する。
【００２８】
＜ハンガー＞
ハンガー１は、ヘッドボックス３に対して遮光板２を保持するためのものである。ハンガー１は、例えば樹脂材料から成る。ハンガー１は、ヘッドボックス３の室外側（光の照射面側）に設置される。
図２に示すハンガー１は、ヘッドボックス３に固定される固定部１０と、遮光板２を保持する保持部２０と、固定部１０と保持部２０との間に設けられた本体部３０と、リブ４０とを有している。
【００２９】
本体部３０は、ヘッドボックス３の室外側壁３ｂの室外側に位置する部位である。本体部３０の室内側面は、ヘッドボックス３の室外側壁３ｂに当接している。本体部３０は、本体下部３１と、本体下部３１の上端に連続する本体上部３２とで構成されている。
【００３０】
本体下部３１は、室内外方向に沿って所定幅を有しており、ヘッドボックス３から保持部２０を室外側に離間させる機能を備えている。図３（ａ）、（ｂ）に示すように、本体下部３１は、四角柱状（側断面視で四角状）を呈する。本体下部３１において、ヘッドボックス３の長さ方向に位置する両側面には、四角溝状の肉抜き部３１ａ，３１ａがそれぞれ形成されている。
【００３１】
本体上部３２は、三角柱状（側断面視で三角状）を呈する。本体上部３２において、ヘッドボックス３の長さ方向に位置する両側面には、三角溝状の肉抜き部３２ａ，３２ａがそれぞれ形成されている。本体上部３２の室内側面は、上下方向に沿うストレート面である。本体上部３２の室外側面は、上方へ向かうほど室内側に位置するように傾斜するテーパ面である。
【００３２】
図２に示すように、固定部１０は、室外側壁３ｂの被係止部３ｄに引っ掛けられる部位である。固定部１０は、本体上部３２の上端から上方へ延出した後、室内側かつ下側に湾曲して折り返されている。固定部１０は、室外側壁３ｂの被係止部３ｄに適合する上向きフック状（鉤状）に形成されている。固定部１０の先端には、他の部位よりも肉厚な爪部１１が形成されている。爪部１１は、室外側壁３ｂの被係止部３ｄの先端に下方から当接して係止されている。
【００３３】
保持部２０は、遮光板２を保持する部位である。保持部２０は、室内側部２１と、室外側部２２とを有している。室内側部２１は、本体下部３１の室外面に連続して延在するとともに、本体下部３１の下面よりも下側まで延びている。室内側部２１の下端は、ブラケット４の下端４ａおよびスラット５の最上部５ａよりも下側に位置している。室内側部２１と本体下部３１とを合わせた室内外方向に沿う幅寸法は、ブラケット４の室外側部４ｂの幅寸法と同等乃至同等以上になっている。
【００３４】
室外側部２２は、室内側部２１の下端から室外側かつ上側に折り返され、本体下部３１と本体上部３２の境界部付近まで延びている。室外側部２２の上端は、ヘッドボックス３の底壁３ａおよびブラケット４の下端４ａよりも上側に位置している。室外側部２２は、室内側部２１との境界部を基点にして、室内側および室外側に撓むことが可能となっている。
【００３５】
室内側部２１と室外側部２２は、相互に離間している。室内側部２１と室外側部２２との間には、遮光板２が挿入される溝部２３が形成されている。溝部２３は、ヘッドボックス３の長さ方向および上方に開口している。溝部２３は、ヘッドボックス３に対して室外側（光の照射面側）で、かつ、ブラケット４に対して室外側にずれた位置に配置される。これにより、保持部２０は、ヘッドボックス３およびブラケット４に対して室外側で遮光板２を保持することが可能となる。
【００３６】
溝部２３の上側の開口２３ａは、ヘッドボックス３の底壁３ａおよびブラケット４の下端４ａよりも上側に位置している。溝部２３の底面２３ｂは、ブラケット４の下端４ａおよびスラット５の最上部５ａよりも下側に位置している。溝部２３の底面２３ｂは、遮光板２の下端２ｂを係止している。本実施形態では、溝部２３の底面２３ｂが特許請求の範囲の第２係止部に相当する。溝部２３の下端側は、室内外方向において隙間Ｇと一致する位置にある。溝部２３（保持部２０）の下端側は、ブラケット４の下端４ａよりも下側で、下方へ向かうほどスラット５に近付くように室内側に傾斜（屈曲）している。図２に示す溝部２３の傾斜開始位置は、ブラケット４の下端４ａよりも若干下側に設定されている。
【００３７】
溝部２３内には、第１係止部２４、第１押圧部２５、第２押圧部２６が、この順序で上側から設けられている。第１係止部２４は、溝部２３の上側の開口２３ａの近傍において、室内側部２１から室外側へ突設されている。本実施形態の第１係止部２４は、側断面視で略三角状（台形状）を呈する突起である。第１係止部２４は、係止面となる水平状の下面を有している。第１係止部２４は、遮光板２の上端２ａを係止して、溝部２３内からの遮光板２の抜脱を防ぐ抜止部として機能する。
【００３８】
第１押圧部２５は、第１係止部２４よりも下側で、室外側部２２から室内側へ突設されている。すなわち、第１押圧部２５は、上下方向において第１係止部２４よりも開口２３ａから遠い位置で、第１係止部２４と反対向きに突設されている。本実施形態の第１押圧部２５は、側断面視で三角状を呈する突起である。第１押圧部２５の突端は、第１係止部２４の突端よりも室内寄りに位置している。つまり、第１押圧部２５の一部は、上下方向において第１係止部２４とオーバーラップするように設けられている。第１押圧部２５は、遮光板２の上端２ａ付近を室外側（側方）から室内側へ向けて押圧して、第１係止部２４が遮光板２を係止可能な位置となるように遮光板２を導くための誘導部として機能する。
【００３９】
第２押圧部２６は、溝部２３の上下方向の中間部において、室外側部２２から室内側へ突設されている。本実施形態の第２押圧部２６は、側断面視で三角状を呈する突起である。第２押圧部２６は、遮光板２の上下方向の中間部付近（実施形態では最も室外側に凸となる部位）を室外側（側方）から室内側へ向けて押圧して、遮光板２の横ズレを防ぐ横ズレ規制部として機能する。
【００４０】
リブ４０は、室内側部２１の室内面と本体下部３１の下面との間に跨って設けられ、保持部２０と本体部３０との間を補強するものである。リブ４０は、側断面視で三角状を呈する。リブ４０の下端は、室内側部２１の下端（室外側部２２との境界部付近）に繋がっている。リブ４０の室内外方向に沿う幅寸法は、上方へ向かうにつれて漸増している。図２に示すリブ４０の上端の室内外方向に沿う幅寸法は、本体下部３１の室内外方向に沿う幅寸法と同等になっている。
【００４１】
＜遮光板＞
遮光板２は、隙間Ｇを室外側から覆って、隙間Ｇから室内への光漏れを抑制するためのものである。遮光板２の材料は、遮光性を有するものであれば、どのような材料でもよいが、本実施形態ではスラット５と同一材料を用いている。遮光板２は、遮光性を高めるために黒色にしてもよい。図２に示す遮光板２は、側断面視で室外側に凸となる曲面状（例えば円弧面状）に形成されている。遮光板２は、ハンガー１の溝部２３内に挿入されている。遮光板２の高さ寸法は、隙間Ｇの高さ寸法よりも大きく形成されている。
【００４２】
遮光板２の上端２ａは、開口２３ａ側の端部であって、第１係止部２４に係止される部位である。遮光板２の下端２ｂは、開口２３ａと反対側の端部であって、溝部２３の底面２３ｂに係止される部位である。遮光板２は、第１係止部２４と溝部２３の底面２３ｂとの間に挟持されていて、上下方向の移動が規制されている。なお、遮光板２の上端２ａが第１係止部２４に対して所定のクリアランスを空けて配置され、施工時や操作時に遮光板２に衝撃が加わったときに第１係止部２４に係止される構成にしてもよい。
【００４３】
遮光板２の上端２ａは、ヘッドボックス３の底壁３ａおよびブラケット４の下端４ａよりも上側に位置している。遮光板２の下端２ｂは、ブラケット４の下端４ａおよびスラット５の最上部５ａよりも下側に位置している。遮光板２の下端２ｂ側は、室内外方向において隙間Ｇと一致する位置にある。遮光板２は、ヘッドボックス３およびブラケット４に対して室外側（光の照射面側）で保持されている。なお、遮光板２は、室内外方向においてブラケット４と重なる部位がブラケット４よりも室外側にあれば、ブラケット４の室外面に当接または離間してよい。
【００４４】
本発明の実施形態に係る横型ブラインドＢは、基本的には以上のように構成されるものであり、次に、その取付方法および作用効果について説明する。
【００４５】
まずヘッドボックス３にハンガー１を取り付ける。詳しくは、ヘッドボックス３の室外側壁３ｂの被係止部３ｄにハンガー１の固定部１０を引っ掛ける。このとき、室外側壁３ｂの被係止部３ｄの先端に固定部１０の爪部１１を下方から当接して係止する。
【００４６】
続いて、予め天井に固定しておいたブラケット４に、ハンガー１を装着したヘッドボックス３を取り付ける。その後、ハンガー１の溝部２３内に遮光板２を上方から挿入する。これにより、遮光板２がハンガー１を介してヘッドボックス３に取り付けられることとなる。
【００４７】
以上説明した本実施形態によれば、遮光板２は、ブラケット４に対して室外側で保持されるため、干渉防止用の切り欠きを遮光板２に設ける必要がなく、遮光板２の取り付け作業が容易となる。
また、切り欠きがないため、切り欠きから室内への光漏れが発生せず、従来よりも遮光性が向上する。
さらに、遮光板２は、ヘッドボックス３に対して室外側で保持されるため、隙間Ｇに入る前の光を遮光することが可能となり、室内への光漏れが抑制されて遮光性が向上する。
【００４８】
また、本実施形態によれば、溝部２３内に突設された第１係止部２４は、遮光板２の上端２ａを係止するため、施工時や操作時に遮光板２に衝撃が加わったとしても、溝部２３内からの遮光板２の抜脱を防ぐことができる。
また、溝部２３の底面２３ｂが遮光板２の下端２ｂを係止するため、溝部２３内に遮光板２を安定して保持することができる。
【００４９】
また、本実施形態によれば、第１押圧部２５は、第１係止部２４よりも下側で遮光板２の上端２ａ付近を室外側から室内側へ向けて押圧するため、遮光板２の上端２ａを第１係止部２４に確実に係止することが可能となり、ひいては、溝部２３内からの遮光板２の抜脱をより一層防ぐことができる。
【００５０】
また、本実施形態によれば、第２押圧部２６は、遮光板２の上下方向の中間部付近を室外側から室内側へ向けて押圧するため、施工時や操作時に遮光板２に衝撃が加わったとしても、遮光板２の横ズレを抑制することができる。
【００５１】
また、本実施形態によれば、保持部２０の下端側は、ブラケット４の下端４ａよりも下側で、下方へ向かうほどスラット５に近付くように室内側に傾斜しているため、遮光板２とスラット５とを近付けることができる。このため、隙間Ｇへ入る光をさらに抑制することが可能となり、遮光性がより一層向上する。また、遮光板２とスラット５とを近付けたとしても、保持部２０の下端側がブラケット４の下端４ａよりも下側で傾斜しているため、遮光板２とブラケット４の干渉を回避することができる。
【００５２】
また、本実施形態によれば、室内側部２１の室内面と本体下部３１の下面との間に跨ってリブ４０が設けられるため、保持部２０と本体部３０との間を補強することができる。
【００５３】
また、本実施形態によれば、遮光板２をスラット５と同一材料で形成できることが可能なため、既存のスラットを使用することが可能となる。これにより、遮光用の専用部材を別途作製する必要がなく、コストダウンを図ることができる。
また、遮光板２を溝部２３内に挿入する形式を採用するため、遮光板２をねじ止め等で固定する加工等が不要となる。
さらに、既存のスラットを使用すると、遮光板２とスラット５との色合わせも容易となる。このため、遮光板２を設けたとしても、遮光板２とスラット５とに統一感を持たせることが可能となり、全体の意匠性が低下することがない。
【００５４】
以上、本発明の実施形態について説明したが、本発明はこれに限定されるものではなく、本発明の主旨を逸脱しない範囲で適宜変更可能である。
【００５５】
ハンガー１の構成は、実施形態のものに限定されることなく、適宜変更してよい。
例えば、実施形態では、本体上部３２を三角柱状にしたが、図４に示す板状にしてもよい。本体上部３２は、本体下部３１の上端の室内側から上方へ向けて延出している。本体上部３２を板状にすると、ハンガー１の軽量化を更に図ることができる。
【００５６】
また、第１係止部２４、第１押圧部２５、第２押圧部２６のいずれか又は全てを省略してもよい。
【００５７】
また、第１係止部２４と、第１押圧部２５および第２押圧部２６との位置を逆にしてもよい。すなわち、第１係止部２４を室外側部２２に設け、第１押圧部２５および第２押圧部２６を室内側部２１に設けてもよい。
【００５８】
また、実施形態では、第１係止部２４を略三角状（台形状）の突起にしたが、他の形状の突起にしてもよいし、突起以外のものにしてもよい。
【００５９】
また、実施形態では、第１押圧部２５および第２押圧部２６を三角状の突起にしたが、他の形状の突起にしてもよいし、別体の板バネやスプリングにしてもよい。例えば、第１押圧部２５を図５に示す板バネ形状にしてもよい。図５に示す第１押圧部２５は、室外側部２２から室内側へ斜め下向きに突設されている。このような第１押圧部２５を用いると、遮光板２の挿入時には第１押圧部２５が下側に撓むことで挿入作業を円滑に行うことが可能となり、遮光板２の挿入後には第１押圧部２５の復帰力（弾性力）で遮光板２を室外側から室内側へ向けて押圧することが可能となる。
【００６０】
また、実施形態では、第２押圧部２６を溝部２３の上下方向の中間部に設けたが、溝部２３の中間部よりも若干上寄りまたは下寄りに設けてもよい。
【００６１】
また、実施形態では、溝部２３の底面２３ｂが遮光板２の下端２ｂを係止する第２係止部として機能したが、第２係止部の構成は適宜変更してよい。例えば、溝部２３の底面２３ｂ近傍において室内側部２１または室外側部２２に突起を設け、この突起で遮光板２の下端２ｂを係止してもよい。
【００６２】
また、実施形態では、溝部２３を上方に開口したが、下方に開口してもよい。すなわち、保持部２０を逆Ｕ字状に形成してもよい。この場合には、溝部２３の下方の開口近傍に第１係止部２４を設け、第１係止部２４で遮光板２の下端２ｂを係止する。また、溝部２３の底面で遮光板２の上端２ａを係止する。第１押圧部２５および第２押圧部２６は、第１係止部２４よりも上方に設ける。
【００６３】
また、実施形態では、溝部２３の下端側を下方へ向かうほどスラット５に近付くように室内側に傾斜したが、溝部２３全体を下方へ向かうほどスラット５に近付くように室内側に傾斜してもよい。この場合には、室内側部２１と本体下部３１とを合わせた室内外方向に沿う幅寸法を、ブラケット４の室外側部４ｂの幅寸法よりも大きくし、ヘッドボックス３の長さ方向において遮光板２とブラケット４とが重ならないように設定する。
【００６４】
実施形態では、固定部１０をヘッドボックス３に固定したが、固定部１０をブラケット４に固定してもよい。この場合には、例えば、ブラケット４のうちヘッドボックス３の長さ方向に位置する面に、固定部１０を引っ掛けるための被係止部（突部）を設ける。
【００６５】
遮光板２の材質や形状等は実施形態のものに限定されることなく適宜変更してよい。また、遮光板２として既存のスラット以外のものを使用してもよい。
【００６６】
実施形態では、窓の内側に設置されるブラインドに本発明を適用したが、例えば、建物の内部空間を仕切る透明窓付きの壁（パーティション）において、目隠しや遮光用に設置されるブラインドに本発明を適用してもよい。例えば、建物の部屋を一つの透明窓付きの壁で二つに仕切り、一方の空間側において透明窓に対応する位置にブラインドを設置した場合に本発明を適用すると、他方の空間から隙間を通じて一方の空間へ入る光を抑制できる。この場合には、他方の空間が特許請求の範囲の「光の照射面側」に相当する。
【符号の説明】
【００６７】
Ｂ      横型ブラインド（日射遮蔽装置）
１      ハンガー
１０    固定部
２０    保持部
２３    溝部
２３ａ  開口
２３ｂ  底面（第２係止部）
２４    第１係止部
２５    第１押圧部
２６    第２押圧部
３０    本体部
４０    リブ
２      遮光板
２ａ    上端
２ｂ    下端
３      ヘッドボックス
４      ブラケット
６      スラット（日射遮蔽材）
Ｇ      隙間
【図１】
2017031624.tif 000003
【図２】
2017031624.tif 000004
【図３】
2017031624.tif 000005
【図４】
2017031624.tif 000006
【図５】
2017031624.tif 000007
【図６】
2017031624.tif 000008